(57)【特許請求の範囲】
【請求項１】
撮影指示に応じて単コマを撮影する単写撮影モードと、撮影指示に応じて複数のコマを続けて撮影する連写撮影モードとのいずれか一方を選択する撮影モード選択装置と、
発光許可後の発光指示に応じて被写体へ照明光を発する放電制御型の第１の照明装置と、
前記発光指示に応じて被写体へ照明光を発する電流制御型の第２の照明装置と、
前記撮影モード選択装置によって前記単写撮影モードが選択されているとき、前記発光指示を前記第１の照明装置へ送り、前記撮影モード選択装置によって前記連写撮影モードが選択されているとき、前記発光指示を前記第２の照明装置へ送る照明制御装置とを備え、
前記第１の照明装置は充電回路を含み、
前記照明制御装置は、前記第１の照明装置へ前記発光指示を送る時点で前記充電回路の充電量が所定量に満たない場合、前記第１の照明装置に代えて前記第２の照明装置へ前記発光指示を送ることを特徴とするカメラシステム。
【請求項２】
請求項１に記載のカメラシステムにおいて、
被写体像を撮像して撮像信号を出力する撮像素子をさらに備え、
前記第２の照明装置は、前記撮像素子によるコマごとの撮像タイミングに同期して発光および消灯を繰り返すことを特徴とするカメラシステム。
【請求項３】
発光許可後の発光指示に応じて被写体へ照明光を発する放電制御型の第１の照明装置と、
前記発光指示に応じて被写体へ照明光を発する電流制御型の第２の照明装置と、
(1)撮影時のシャッタ速度が前記第１の照明装置に対する同調速度以下に設定されているとき、前記第１の照明装置および第２の照明装置のいずれか一方へ前記発光指示を送り、(2)撮影時のシャッタ速度が前記同調速度より高速に設定されているとき、前記第２の照明装置へ前記発光指示を送る照明制御装置とを備えることを特徴とするカメラシステム。
【請求項４】
請求項３に記載のカメラシステムにおいて、
前記照明制御装置は、(３)撮影時のシャッタ速度が前記第１の照明装置に対する同調速度より低速の所定速度以下に設定されているとき、前記第２の照明装置へ前記発光指示を送り、(４)撮影時のシャッタ速度が前記所定速度より高速、かつ前記同調速度以下に設定されているとき、前記第１の照明装置へ前記発光指示を送ることを特徴とするカメラシステム。
【請求項５】
請求項４に記載のカメラシステムにおいて、
前記撮影時のシャッタ速度が前記所定速度以下に設定されているとき、撮影指示に応じて前記第２の照明装置へ発光開始を指示するとともに露出開始を指示し、前記露出開始から所定時間が経過後に前記露出終了を指示するとともに前記第２の照明装置へ発光停止を指示する撮影制御装置をさらに備えることを特徴とするカメラシステム。
【請求項６】
請求項３に記載のカメラシステムにおいて、
前記照明制御装置は、(３)撮影時のシャッタ速度が前記第１の照明装置に対する同調速度より低速の所定速度以下に設定されているとき、前記第１の照明装置および前記第２の照明装置のいずれか一方へ前記発光指示を送り、(４)撮影時のシャッタ速度が前記所定速度より高速、かつ前記同調速度以下に設定されているとき、前記第１の照明装置へ前記発光指示を送ることを特徴とするカメラシステム。
【請求項７】
請求項６に記載のカメラシステムにおいて、
前記照明制御装置は、先幕シンクロおよび後幕シンクロ時に前記第１の照明装置へ前記発光指示を送ることを特徴とするカメラシステム。
【請求項８】
請求項１に記載のカメラシステムにおいて、
前記照明制御装置は、前記撮影モード選択装置によって動画を撮影する動画撮影モードが選択されている場合には、前記発光指示を前記第２の照明装置へ送ることを特徴とするカメラシステム。
【請求項９】
請求項１に記載のカメラシステムにおいて、
前記照明制御装置は、前記撮影モード選択装置によって前記連写撮影モードが選択されている場合には、被写体を撮像して撮像信号を出力する撮像素子によるコマごとの撮像タイミングに同期して発光および消灯を繰り返すように前記照明装置を制御することを特徴とするカメラシステム。
【請求項１０】
撮影指示に応じて単コマを撮影する単写撮影モードと、撮影指示に応じて複数のコマを続けて撮影する連写撮影モードとのいずれか一方を選択する撮影モード選択装置を含むカメラ本体と信号の送受信が可能な送受信部と、
充電回路を含み、前記カメラ本体からの発光指示に応じて被写体へ照明光を発する放電制御型の第１の照明装置と、
前記発光指示に応じて被写体へ照明光を発する電流制御型の第２の照明装置と、
前記撮影モード選択装置によって前記単写撮影モードが選択されているとき、前記送受信部から受信した信号に応じて前記第１の照明装置に照明光を発生させるように前記第１の照明装置を制御し、前記撮影モード選択装置によって前記連写撮影モードが選択されているとき、前記送受信部から受信した信号に応じて前記第２の照明装置に照明光を発生させるように前記第２の照明装置を制御する制御部とを含み、
前記制御部は、前記撮影モード選択装置によって前記単写撮影モードが選択されているときでも、前記充電回路の充電量が所定量に満たない場合には、前記第１の照明装置に照明光を発生させる制御から前記第２の照明装置に照明光を発生させる制御に切り換えることを特徴とするカメラ用照明装置。
【請求項１１】
カメラ本体と信号の送受信が可能な送受信部と、
前記カメラ本体からの発光指示に応じて被写体へ照明光を発する放電制御型の第１の照明装置と、
前記発光指示に応じて被写体へ照明光を発する電流制御型の第２の照明装置と、
撮影時のシャッタ速度が前記第１の照明装置に対する同調速度以下に設定されているとき、前記送受信部から受信した信号に応じて前記第１の照明装置および前記第２の照明装置のいずれか一方に照明光を発生させるように制御し、前記撮影時のシャッタ速度が前記同調速度より高速に設定されているとき、前記送受信部から受信した信号に応じて前記第２の照明装置に照明光を発生させるように制御する制御部とを含むことを特徴とするカメラ用照明装置。
【請求項１２】
撮影指示に応じて第１撮影モードと、前記第１撮影モードとは異なる第２撮影モードとのいずれか一方を選択する撮影モード選択装置を含むカメラ本体と信号の送受信が可能な送受信部と、
充電回路を含み、前記カメラ本体からの発光指示に応じて被写体へ照明光を発する放電制御型の第１の照明装置と、
前記発光指示に応じて被写体へ照明光を発する電流制御型の第２の照明装置と、
前記撮影モード選択装置によって前記第１撮影モードが選択されているとき、前記送受信部から受信した信号に応じて前記第１の照明装置に照明光を発生させるように前記第１の照明装置を制御し、前記撮影モード選択装置によって前記第２撮影モードが選択されているとき、前記送受信部から受信した信号に応じて前記第２の照明装置に照明光を発生させるように前記第２の照明装置を制御する制御部とを含み、
前記制御部は、前記撮影モード選択装置によって前記第１撮影モードが選択されているときでも、前記充電回路の充電量が所定量に満たない場合には、前記第１の照明装置に照明光を発生させる制御から前記第２の照明装置に照明光を発生させる制御に切り換えることを特徴とするカメラ用照明装置。
【発明の詳細な説明】
【技術分野】
【０００１】
本発明は、撮影時に被写体を照明するカメラシステム及びカメラ用照明装置に関する。
【背景技術】
【０００２】
特開平１０−２０６９４２号公報には、撮影時に被写体を照明する照明装置において、Ｘｅランプなどで構成される放電型の光源と、発光ダイオード（ＬＥＤ）などで構成される電流制御型の光源とを備えるものが開示されている。この照明装置は、放電型光源から発せられるフラッシュ光の色温度を補正するために、赤色光を発するＬＥＤおよび青色光を発するＬＥＤが備えられている。そして、フラッシュ光の発光時に色温度補正量に応じて赤色ＬＥＤおよび青色ＬＥＤの一方もしくは両方が点灯制御される。各光源の点灯タイミングは、カメラのシャッタが開いている間にＬＥＤが連続して点灯され、シャッタ開時間のうち所定のタイミングで放電型光源が閃光発光するように設定される。
【発明の開示】
【０００３】
上述した照明装置はフラッシュ光の発光時にＬＥＤを点灯させており、これはカメラのシャッタ速度を放電型光源の同調速度以下に設定する単写撮影を想定している。したがって、同調速度を超えるシャッタ速度での撮影や、連写撮影に対応することができない。
【０００４】
請求項１に記載のカメラシステムは、撮影指示に応じて単コマを撮影する単写撮影モードと、撮影指示に応じて複数のコマを続けて撮影する連写撮影モードとのいずれか一方を選択する撮影モード選択装置と、発光許可後の発光指示に応じて被写体へ照明光を発する放電制御型の第１の照明装置と、前記発光指示に応じて被写体へ照明光を発する電流制御型の第２の照明装置と、前記撮影モード選択装置によって前記単写撮影モードが選択されているとき、前記発光指示を前記第１の照明装置へ送り、前記撮影モード選択装置によって前記連写撮影モードが選択されているとき、前記発光指示を前記第２の照明装置へ送る照明制御装置とを備え、前記第１の照明装置は充電回路を含み、前記照明制御装置は、前記第１の照明装置へ前記発光指示を送る時点で前記充電回路の充電量が所定量に満たない場合、前記第１の照明装置に代えて前記第２の照明装置へ前記発光指示を送ることを特徴とする。
【０００５】
請求項３に記載のカメラシステムは、発光許可後の発光指示に応じて被写体へ照明光を発する放電制御型の第１の照明装置と、前記発光指示に応じて被写体へ照明光を発する電流制御型の第２の照明装置と、(1)撮影時のシャッタ速度が前記第１の照明装置に対する同調速度以下に設定されているとき、前記第１の照明装置および第２の照明装置のいずれか一方へ前記発光指示を送り、(2)撮影時のシャッタ速度が前記同調速度より高速に設定されているとき、前記第２の照明装置へ前記発光指示を送る照明制御装置とを備えることを特徴とする。
【０００６】
請求項１０に記載のカメラ用照明装置は、撮影指示に応じて単コマを撮影する単写撮影モードと、撮影指示に応じて複数のコマを続けて撮影する連写撮影モードとのいずれか一方を選択する撮影モード選択装置を含むカメラ本体と信号の送受信が可能な送受信部と、充電回路を含み、前記カメラ本体からの発光指示に応じて被写体へ照明光を発する放電制御型の第１の照明装置と、前記発光指示に応じて被写体へ照明光を発する電流制御型の第２の照明装置と、前記撮影モード選択装置によって前記単写撮影モードが選択されているとき、前記送受信部から受信した信号に応じて前記第１の照明装置に照明光を発生させるように前記第１の照明装置を制御し、前記撮影モード選択装置によって前記連写撮影モードが選択されているとき、前記送受信部から受信した信号に応じて前記第２の照明装置に照明光を発生させるように前記第２の照明装置を制御する制御部とを含み、前記制御部は、前記撮影モード選択装置によって前記単写撮影モードが選択されているときでも、前記充電回路の充電量が所定量に満たない場合には、前記第１の照明装置に照明光を発生させる制御から前記第２の照明装置に照明光を発生させる制御に切り換えることを特徴とする。
【０００７】
請求項１１に記載のカメラ用照明装置は、カメラ本体と信号の送受信が可能な送受信部と、前記カメラ本体からの発光指示に応じて被写体へ照明光を発する放電制御型の第１の照明装置と、前記発光指示に応じて被写体へ照明光を発する電流制御型の第２の照明装置と、撮影時のシャッタ速度が前記第１の照明装置に対する同調速度以下に設定されているとき、前記送受信部から受信した信号に応じて前記第１の照明装置および前記第２の照明装置のいずれか一方に照明光を発生させるように制御し、前記撮影時のシャッタ速度が前記同調速度より高速に設定されているとき、前記送受信部から受信した信号に応じて前記第２の照明装置に照明光を発生させるように制御する制御部とを含むことを特徴とする。
【０００８】
請求項１２に記載のカメラ用照明装置は、撮影指示に応じて第１撮影モードと、前記第１撮影モードとは異なる第２撮影モードとのいずれか一方を選択する撮影モード選択装置を含むカメラ本体と信号の送受信が可能な送受信部と、充電回路を含み、前記カメラ本体からの発光指示に応じて被写体へ照明光を発する放電制御型の第１の照明装置と、前記発光指示に応じて被写体へ照明光を発する電流制御型の第２の照明装置と、前記撮影モード選択装置によって前記第１撮影モードが選択されているとき、前記送受信部から受信した信号に応じて前記第１の照明装置に照明光を発生させるように前記第１の照明装置を制御し、前記撮影モード選択装置によって前記第２撮影モードが選択されているとき、前記送受信部から受信した信号に応じて前記第２の照明装置に照明光を発生させるように前記第２の照明装置を制御する制御部とを含み、前記制御部は、前記撮影モード選択装置によって前記第１撮影モードが選択されているときでも、前記充電回路の充電量が所定量に満たない場合には、前記第１の照明装置に照明光を発生させる制御から前記第２の照明装置に照明光を発生させる制御に切り換えることを特徴とする。
【図面の簡単な説明】
【００１１】
【図１】図１は、本発明の一実施の形態による電子カメラシステムを説明する図である。
【図２】図２は、電子カメラシステムの要部構成を説明するブロック図である。
【図３】図３は、Ｘｅ管および発光回路の構成例を示す図である。
【図４】図４は、Ｘｅ管による発光波形を説明する図である。
【図５】図５は、ＬＥＤおよび発光回路の構成例を示す図である。
【図６】図６は、ＬＥＤによる発光波形を説明する図である。
【図７】図７は、モード１−１におけるシャッタ先幕および後幕が開閉するタイミング、撮像素子の電荷蓄積および電荷転送タイミングを説明する図である。
【図８】図８は、モード１−２におけるシャッタ先幕および後幕が開閉するタイミング、撮像素子の電荷蓄積および電荷転送タイミングを説明する図である。
【図９】図９は、モード１−３におけるシャッタ先幕および後幕が開閉するタイミング、撮像素子の電荷蓄積および電荷転送タイミングを説明する図である。
【図１０】図１０は、後幕シンクロ撮影で得られる撮影画像を説明する図である。
【図１１】図１１は、モード１−４におけるシャッタ先幕および後幕が開閉するタイミング、撮像素子の電荷蓄積および電荷転送タイミングを説明する図である。
【図１２】図１２は、先幕シンクロ撮影で得られる撮影画像を説明する図である。
【図１３】図１３は、モード１−５におけるシャッタ先幕および後幕が開閉するタイミング、撮像素子の電荷蓄積および電荷転送タイミングを説明する図である。
【図１４】図１４は、スロー撮影で得られる撮影画像を説明する図である。
【図１５】図１５は、モード２におけるシャッタ先幕および後幕が開閉するタイミング、撮像素子の電荷蓄積および電荷転送タイミングを説明する図である。
【発明を実施するための最良の形態】
【００１２】
以下、図面を参照して本発明を実施するための最良の形態について説明する。図１は、本発明の一実施の形態による電子カメラシステムを説明する図である。図１において、電子カメラシステムは、一眼レフ電子カメラ本体７０と、カメラ本体７０に着脱される照明装置８０とで構成される。カメラ本体７０には、レンズ９１および絞り９２を内蔵する交換レンズ９０が装着されている。【００１３】
照明装置８０は、キセノン（Ｘｅ）放電管８１およびこの発光回路８２と、ＬＥＤ８３ａおよびこの発光回路８３とを含み、カメラ本体７０に備えられているアクセサリシュー７０ａに装着される。照明装置８０は、アクセサリシュー７０ａに設けられている通信用接点（不図示）を介してカメラ本体７０側のＣＰＵ１０１（図２参照）と通信を行い、Ｘｅ管８１およびＬＥＤ８３ａの発光切り換え信号、発光開始や発光終了を指示するタイミング信号、発光量を指示する信号、および発光回路８２における発光準備中（充電中）や発光準備完了を示す信号などを送受する。【００１４】
交換レンズ９０を通過してカメラ本体７０に入射した被写体光束は、シャッタレリーズ前は実線で示すように位置するクイックリターンミラー７１で上方へ導かれてファインダマット７２に結像するとともに、被写体光束の一部はサブミラー７３で下方に反射されて焦点検出装置４１にも結像する。ファインダマット７２に結像した被写体光束はさらに、レンズ７４を介してペンタプリズム７５へ入射される。ペンタプリズム７５は、入射された被写体光束を接眼レンズ７６へ導く一方、その一部をプリズム７７へも導く。プリズム７７へ入射された光束はレンズ７８を介して測光装置５１に入射される。【００１５】
シャッタレリーズ後はクイックリターンミラー７１が破線で示される位置へ回動し、被写体光束はシャッタ６１を介して撮影用の撮像装置３１へ導かれる。なお、クイックリターンミラー７１が破線で示される位置へ回動した後、シャッタ６１の幕（不図示）が開く前は、被写体光束はシャッタ幕面で反射され、レンズ２２を介して調光用測光装置２１に入射されるように構成されている。【００１６】
図２は、上述した電子カメラシステムの要部構成を説明するブロック図である。ＣＰＵ１０１はＡＳＩＣ（Application Specific Integrated Circuit）などによって構成される。ＣＰＵ１０１は、後述する各ブロックから出力される信号を入力して所定の演算を行い、演算結果に基づく制御信号を各ブロックへ出力する。【００１７】
撮像素子１２１は、ＣＣＤイメージセンサなどによって構成され、図１の撮像装置３１に対応する。撮像素子１２１は、交換レンズ９０を通過した被写体光束による像を撮像し、撮像信号をＡ／Ｄ変換回路１２２へ出力する。Ａ／Ｄ変換回路１２２は、アナログ撮像信号をディジタル信号に変換する。【００１８】
ＣＰＵ１０１は、Ａ/Ｄ変換回路１２２によってディジタル変換後の画像データにホワイトバランス処理などの画像処理を行う他、画像処理後の画像データを所定の形式で圧縮する圧縮処理、圧縮された画像データを伸長する伸長処理などを行う。記録媒体１２６は、電子カメラ本体７０に対して着脱可能なメモリカードなどによって構成される。記録媒体１２６には、画像処理後の画像データが記録される。【００１９】
画像再生回路１２４は、非圧縮の画像データ（圧縮前の画像データもしくは伸長後の画像データ）を用いて再生表示用のデータを生成する。表示装置１２５は、たとえば、液晶表示モニタなどによって構成され、再生表示用のデータによる画像を表示する。【００２０】
照明装置８０の発光回路８２は、ＣＰＵ１０１からの発光指示に応じてメインコンデンサＭＣに充電されている電荷をＸｅ管８１に放出し、Ｘｅ管８１を閃光発光させる。図３は、Ｘｅ管８１および発光回路８２の構成例を示す図である。【００２１】
図３において、照明装置８０のメインスイッチ（不図示）がオンされると昇圧回路８５が電池Ｅによる電圧を昇圧（たとえば、３３０Ｖ）し、メインコンデンサＭＣを充電する。充電検出回路８６は、メインコンデンサＭＣの充電電圧が所定電圧（たとえば、２７０Ｖ）に達すると不図示のパイロットランプを点灯させるとともに、カメラ本体７０のＣＰＵ１０１（図２参照）へ発光準備完了を示す信号を送信する。【００２２】
抵抗器Ｒ、トリガコンデンサＴＣ、およびトリガコイルＬはトリガ回路を構成する。トリガ回路は、メインコンデンサＭＣが充電されると抵抗器Ｒを介してトリガコンデンサＴＣを充電する。この状態でカメラ本体７０のＣＰＵ１０１から発光開始を指示する信号（いわゆるＸ接点信号）が送信されると、シンクロスイッチＳＷがオンすることによってトリガコンデンサＴＣの充電電圧がトリガコイルＬによってさらに昇圧され、昇圧された高電圧がＸｅ管８１のトリガ電極（不図示）へ印加される。これによってＸｅ管８１内で発光が始まり、この発光をトリガにＸｅ管８１が閃光発光する。すなわち、メインコンデンサＭＣに蓄積されていた電気エネルギーがＸｅ管８１内で放電される。【００２３】
図４は、Ｘｅ管８１による発光波形を説明する図である。図４において、横軸は発光時間を表し、縦軸は発光強度を表す。Ｘｅ管８１はシンクロスイッチＳＷがオンするとただちに発光を開始し、その発光強度が最大値Ｐxに達する。放電発光は、メインコンデンサＭＣ内の蓄積エネルギーが空になると終了する。一般に、発光強度が最大値Ｐxの１／２に減少するまでの時間が閃光時間と呼ばれ、放電発光が終了するまでの時間が全発光時間と呼ばれる。なお、実際の撮影時には調光用測光装置２１（図１参照）で検出される検出信号の積算値に基づいて発光量を制御する調光発光を行うように構成されている。したがって、図４の全発光時間が経過する前にＸｅ管８１への電力供給を停止することにより、Ｘｅ管８１内の放電発光を停止させる。これにより、Ｘｅ管８１から発する光量が所定光量に制御される。なお、Ｘｅ管８１の発光を停止させるための回路は図３において省略されている。【００２４】
図４の発光波形が示すように、Ｘｅ管８１は一定の強度で連続して主要被写体を照明する用途には適さない。また、１回発光すると次の発光に備えてメインコンデンサＭＣを充電する必要があり、たとえば、１秒間に１０回以上の発光と充電とを繰り返し行うことは困難である。さらに、Ｘｅ管８１による閃光時間は１／１０００秒オーダであるため、通常のフォーカルプレーンシャッタと組み合わせて使用する場合は、同調速度、たとえば１／２５０秒より低速のシャッタ速度にする必要が生じる。これは、シャッタ先幕およびシャッタ後幕によるスリット露光を行うような高速シャッタ速度では、撮影画面のうちＸｅ管８１が閃光発光した時点において形成されていたスリット位置に対応する部分しか撮像素子１２１が適正に露光されないからである。つまり、スリットが撮像素子１２１上の有効撮像領域を移動する所要時間がＸｅ管８１の閃光時間より長いことに起因する。ここで、同調速度は、Ｘｅ管８１による閃光発光を用いた撮影が可能なシャッタ速度の最高速度として設定される値である。【００２５】
図２において、照明装置８０のＬＥＤ８３ａは白色ＬＥＤで構成される。図５は、ＬＥＤ８３ａおよび発光回路８３の構成例を示す図である。図５において、ＬＥＤ８３ａの発光開始、発光停止のタイミング、およびＬＥＤ８３ａから発する光量を指示する信号が、カメラ本体７０のＣＰＵ１０１から照明制御回路８４へ入力される。周知のように、ＬＥＤはその定格範囲において駆動電流および発光強度（光パワー）間に比例関係を有する電流制御型デバイスである。照明制御回路８４は、ＣＰＵ１０１からの指示内容に基づいてＬＥＤ８３ａへ供給する電流値を決定し、この電流値の電流をＬＥＤ８３ａへ供給するようにＬＥＤ駆動回路８５へ指令を送る。これにより、ＬＥＤ８３ａから発する光量が制御される。【００２６】
ＬＥＤ８３ａの発光強度と供給電流の関係は、あらかじめ実測結果がテーブル化され照明制御回路８４内の不揮発性メモリに格納されている。照明制御回路８４は、発光強度を引数として上記テーブルを参照して必要な供給電流を決定し、この電流値をＬＥＤ駆動回路８５へ指示する。ＬＥＤ駆動回路８５は、照明制御回路８４から送出される指令にしたがって電流をＬＥＤ８３ａへ供給する。なお、電池Ｅは照明制御回路８４およびＬＥＤ駆動回路８５の電源である。【００２７】
図６は、ＬＥＤ８３ａによる発光波形を説明する図である。図６において、横軸は発光時間を表し、縦軸は発光強度を表す。ＬＥＤ８３ａは、一定の駆動電流が供給されると一定の強度Ｐｅで発光を継続する。図６の発光波形が示すように、ＬＥＤ８３ａは、Ｘｅ管８１による全発光時間より長く連続発光が可能である。したがって、例えば同調速度として設定される１／２５０秒より低速のシャッタ速度はもちろん、スリット露光が行われる１／２５０秒より高速のシャッタ速度と組み合わせてもよい。この理由は、スリットが撮像素子１２１上の有効撮像領域を移動する所要時間より長くＬＥＤ８３ａを点灯させておくことが可能だからである。【００２８】
図２において、測距装置１０２は図１の焦点検出装置４１に対応する。測距装置１０２は、交換レンズ９０（図１参照）による焦点位置の調節状態を検出し、検出信号をＣＰＵ１０１へ出力する。ＣＰＵ１０１は、焦点検出信号に応じて交換レンズ９０内のフォーカスレンズ（不図示）を光軸方向に進退駆動するようにフォーカスレンズ駆動機構（不図示）へ指令を送り、交換レンズ９０による焦点位置を調節する。なお、測距装置１０２による検出信号は主要被写体までの距離を示す距離情報となる。【００２９】
測光装置１０３は、図１の測光装置５１に対応する。測光装置１０３は被写体光量を検出し、検出信号をＣＰＵ１０１へ出力する。ＣＰＵ１０１は、この検出信号を用いて被写体輝度ＢＶを算出する。【００３０】
ＣＰＵ１０１は、照明装置８０が発光可能に設定されている場合、設定されている絞り値ＡＶ、設定されているシャッタ速度ＴＶ、上記算出した被写体輝度ＢＶ、および設定されている撮像感度ＳＶをそれぞれ用いて次式（１）による露出演算を行う。
ＥＶ＝ＡＶ＋ＴＶ＝ＢＶ＋ＳＶ            ・・・（１）  
式（１）において、ＥＶは露出量である。
ＣＰＵ１０１は、適正露出が得られるように露出偏差ΔＥＶに応じて照明装置８０から発光すべき光量を含む制御露出を演算する。露出偏差ΔＥＶは、制御露出と適正露出の差である。発光すべき光量は、主要被写体までの距離情報に応じて加減する。【００３１】
モータドライブ回路１０４は、ＣＰＵ１０１から送出される指令に応じてフォーカス調節用モータＭ１およびズーム調節用モータＭ２に対する駆動信号をそれぞれ出力する。フォーカス調節用モータＭ１は上述したフォーカスレンズ駆動機構を構成し、フォーカスレンズを進退駆動する。ズーム調節用モータＭ２は不図示のズームレンズ駆動機構を構成し、ズーム調節レンズを光軸方向に進退駆動する。【００３２】
操作部材１０７は、レリーズボタン（不図示）の操作に連動するレリーズスイッチ、ズームスイッチ（不図示）、動画／静止画切り換えスイッチ（不図示）などを含み、各スイッチに対応する操作信号をＣＰＵ１０１へ送出する。ここで「動画」は、たとえば、１秒当たり３０コマを撮影する連写撮影モードのことであり、「静止画」は、１コマずつ撮影する単写撮影モードのことである。【００３３】
本実施の形態による電子カメラシステムは、単写撮影モード／連写撮影モード、シャッタ速度等に応じて発光させる光源を切り換える。【００３４】
本実施の形態では、以下の撮影モードで光源を自動的に切り換える。撮影モードは、撮影者による撮影モードの変更操作によって操作部材１０７からＣＰＵ１０１へ操作信号が入力されると、ＣＰＵ１０１が当該操作信号に応じて変更する。
モード１．単写撮影モード
モード１−１．シャッタ速度が同調速度（たとえば、１／２５０秒）以下の撮影
モード１−２．シャッタ速度が同調速度（たとえば、１／２５０秒）より高速の撮影
モード１−３．後幕シンクロ撮影
モード１−４．先幕シンクロ撮影
モード１−５．スロー撮影
モード２．連写撮影モード【００３５】
モード１−１、すなわち単写撮影モードでシャッタ速度が同調速度と等しい、もしくは同調速度より低速の場合、カメラ本体７０のＣＰＵ１０１は、照明装置８０の発光を許可する設定操作が行われるとＸｅ管８１を選択する。ＣＰＵ１０１はさらに、照明装置８０を強制的に発光させるように設定される、もしくは上記露出演算によって照明装置８０による照明光が必要と判定される場合に、カメラの撮影指示、例えばレリーズ操作信号に応じて発光を指示する信号を発光回路８２へ送信する。【００３６】
図７は、モード１−１において、シャッタ６１（図１参照）を構成するシャッタ先幕およびシャッタ後幕がそれぞれ開くタイミングと閉じるタイミング、撮像素子１２１の電荷蓄積タイミング、および撮像素子１２１に蓄積された電荷の転送タイミングの関係を説明する図である。カメラ本体７０がレリーズ操作されると、ＣＰＵ１０１はカメラ本体７０の撮影シーケンス機構（不図示）に撮影動作を開始させる。これにより、図７のタイミングｔ０においてシャッタ先幕が開く向きに走行を開始し、タイミングｔ１においてシャッタ先幕がアパーチャ（不図示）を開放して走行終了する。一方、ＣＰＵ１０１は上記タイミングｔ０から電荷蓄積を開始するように撮像素子１２１へ駆動信号を出力する。【００３７】
シャッタ速度が同調速度以下の場合、アパーチャが開放されたタイミングｔ１からシャッタ後幕が走行を開始するタイミングｔ３までの時間（全開時間）が、Ｘｅ管８１の閃光時間より長くなるように構成されている。ＣＰＵ１０１は、タイミングｔ１以降のタイミングｔ２でＸｅ管８１が発光を開始し、この閃光発光がタイミングｔ３までに終了するように発光開始を指示する信号（いわゆるＸ接点信号）を発光回路８２へ送信する。【００３８】
シャッタ先幕が走行終了（タイミングｔ１）してから所定時間が経過後のタイミングｔ３において、撮影シーケンス機構がアパーチャを閉じる向きにシャッタ後幕を走行開始させる。所定時間は、シャッタ速度に対応して決定されるアパーチャ開放時間である。【００３９】
タイミングｔ４において、シャッタ後幕がアパーチャを閉鎖して走行を終了する。一方、ＣＰＵ１０１は、上記タイミングｔ４で電荷蓄積を終了するとともに蓄積電荷の転送を開始するように撮像素子１２１へ駆動信号を出力する。タイミングｔ５において、ＣＰＵ１０１は、蓄積電荷の転送が終了すると撮像素子１２１への駆動信号の出力を停止する。このように、タイミングｔ１からタイミングｔ３までのアパーチャ開放時間（全開時間）内にＸｅ管８１が閃光発光し、主要被写体が照明される。【００４０】
モード１−２、すなわち単写撮影モードでシャッタ速度が同調速度より高速の場合、カメラ本体７０のＣＰＵ１０１は、照明装置８０の発光を許可する設定操作が行われるとＬＥＤ８３ａを選択する。ＣＰＵ１０１はさらに、照明装置８０を強制的に発光させるように設定される、もしくは上記露出演算によって照明装置８０による照明光が必要と判定される場合に、カメラのレリーズ操作に応じて発光を指示する信号を発光回路８３へ送信する。【００４１】
図８は、モード１−２において、シャッタ先幕およびシャッタ後幕がそれぞれ開くタイミングと閉じるタイミング、撮像素子１２１の電荷蓄積タイミング、および撮像素子１２１に蓄積された電荷の転送タイミングの関係を説明する図である。カメラ本体７０がレリーズ操作されると、ＣＰＵ１０１は、カメラ本体７０の撮影シーケンス機構に撮影動作を開始させる。これにより、図８のタイミングｔ０においてシャッタ先幕が開く向きに走行を開始し、タイミングｔ１においてシャッタ先幕がアパーチャを開放して走行終了する。一方、ＣＰＵ１０１は上記タイミングｔ０から電荷蓄積を開始するように撮像素子１２１へ駆動信号を出力する。【００４２】
シャッタ速度が同調速度を超える場合は、アパーチャが開放されたタイミングｔ１からシャッタ後幕が走行を開始するタイミングｔ３ａまでの時間が上記Ｘｅ管８１の閃光時間より短い。シャッタ速度がさらに速くなると、シャッタ先幕およびシャッタ後幕によるスリット露光が行われるので、図８に示すように、シャッタ先幕が走行終了する前にシャッタ後幕が走行を開始する（タイミングｔ３ａ）。そこでＣＰＵ１０１は、タイミングｔ０でＬＥＤ８３ａが発光（点灯）を開始し、シャッタ後幕が走行終了するタイミングｔ４ａ以降のタイミングｔ４ｂまでＬＥＤ８３ａの発光を継続してから発光終了（消灯）するように、発光開始および発光終了を指示する信号を発光回路８３へ送信する。【００４３】
シャッタ先幕が走行開始（タイミングｔ０）してから所定時間が経過後のタイミングｔ３ａにおいて、撮影シーケンス機構がアパーチャを閉じる向きにシャッタ後幕を走行開始させる。所定時間は、シャッタ速度に対応してあらかじめ設定されているスリット開口時間である。【００４４】
タイミングｔ４ａにおいて、シャッタ後幕がアパーチャを閉鎖して走行を終了する。一方、ＣＰＵ１０１は、上記タイミングｔ４ｂで電荷蓄積を終了するとともに蓄積電荷の転送を開始するように撮像素子１２１へ駆動信号を出力する。タイミングｔ５において、ＣＰＵ１０１は、蓄積電荷の転送が終了すると撮像素子１２１への駆動信号の出力を停止する。このように、タイミングｔ０からタイミングｔ４ｂまでの電荷蓄積時間内にＬＥＤ８３ａが連続発光し、主要被写体が照明される。【００４５】
モード１−３、すなわち単写撮影モードで後幕シンクロ撮影の場合、カメラ本体７０のＣＰＵ１０１は、照明装置８０の発光を許可するように設定操作が行われるとＸｅ管８１を選択する。ＣＰＵ１０１はさらに、照明装置８０を強制的に発光させるように設定される、もしくは上記露出演算によって照明装置８０による照明光が必要と判定される場合に、カメラのレリーズ操作に応じて発光を指示する信号を発光回路８２へ送信する。【００４６】
図９は、モード１−３において、シャッタ先幕およびシャッタ後幕がそれぞれ開くタイミングと閉じるタイミング、撮像素子１２１の電荷蓄積タイミング、および撮像素子１２１に蓄積された電荷の転送タイミングの関係を説明する図である。カメラ本体７０がレリーズ操作されると、ＣＰＵ１０１は、カメラ本体７０の撮影シーケンス機構に撮影動作を開始させる。これにより、図９のタイミングｔ０においてシャッタ先幕が開く向きに走行を開始し、タイミングｔ１においてシャッタ先幕がアパーチャを開放して走行を終了する。一方、ＣＰＵ１０１は上記タイミングｔ０から電荷蓄積を開始するように撮像素子１２１へ駆動信号を出力する。【００４７】
後幕シンクロ撮影の場合、上記モード１−１の場合と同様に、アパーチャが開放されたタイミングｔ１からシャッタ後幕が走行を開始するタイミングｔ３までの全開時間がＸｅ管８１の閃光時間より長くなるように構成されている。ＣＰＵ１０１は、タイミングｔ１以降のタイミングｔ２ａでＸｅ管８１が発光を開始し、この閃光発光がタイミングｔ３の直前に終了するように発光開始を指示する信号（いわゆるＸ接点信号）を発光回路８２へ送信する。【００４８】
シャッタ先幕が走行終了（タイミングｔ１）してから所定時間が経過後のタイミングｔ３において、撮影シーケンス機構がアパーチャを閉じる向きにシャッタ後幕を走行開始させる。所定時間は、後幕シンクロ撮影用にあらかじめ設定されているアパーチャ開放時間である。なお、後幕シンクロ撮影の場合のシャッタ速度は、同調速度よりも低速のシャッタ速度であり、アパーチャ開放時間を得るための値に設定される。【００４９】
タイミングｔ４において、シャッタ後幕がアパーチャを閉鎖して走行を終了する。一方、ＣＰＵ１０１は、上記タイミングｔ４で電荷蓄積を終了するとともに蓄積電荷の転送を開始するように撮像素子１２１へ駆動信号を出力する。タイミングｔ５において、ＣＰＵ１０１は、蓄積電荷の転送が終了すると撮像素子１２１への駆動信号の出力を停止する。このように、タイミングｔ１からタイミングｔ３までのアパーチャ開放時間（全開時間）内でシャッタ後幕が走行開始する直前にＸｅ管８１が閃光発光し、主要被写体が照明される。【００５０】
図１０は、後幕シンクロ撮影で得られる撮影画像を説明する図である。撮影者は、上記電子カメラシステムを用いて走行車両およびランナーを後幕シンクロ撮影する。図１０において、背景を右から左へ走行する車両と重なるようにランナーが右から左へ走行している。ランナーは背景車両より撮影者に近く、照明装置８０による照明光で照明できる距離にいる。照明装置８０でランナーを照明しなければ、露光不足でランナーが写らないほど周囲は暗い。【００５１】
後幕シンクロ撮影を行うとアパーチャ開放時間の終了間際に照明装置８０がランナーを照明するので、図１０に示すようにランナーは画面の左端に写る。なお、走行車両は照明装置８０による照明範囲外なので、照明光の有無にかかわらず背景を流れるように写る。【００５２】
モード１−４、すなわち単写撮影モードで先幕シンクロ撮影の場合、カメラ本体７０のＣＰＵ１０１は、照明装置８０の発光を許可するように設定操作が行われるとＸｅ管８１を選択する。ＣＰＵ１０１はさらに、照明装置８０を強制的に発光させるように設定される、もしくは上記露出演算によって照明装置８０による照明光が必要と判定される場合に、カメラのレリーズ操作に応じて発光を指示する信号を発光回路８２へ送信する。【００５３】
図１１は、モード１−４において、シャッタ先幕およびシャッタ後幕がそれぞれ開くタイミングと閉じるタイミング、撮像素子１２１の電荷蓄積タイミング、および撮像素子１２１に蓄積された電荷の転送タイミングの関係を説明する図である。カメラ本体７０がレリーズ操作されると、ＣＰＵ１０１は、カメラ本体７０の撮影シーケンス機構に撮影動作を開始させる。これにより、図１１のタイミングｔ０においてシャッタ先幕が開く向きに走行を開始し、タイミングｔ１においてシャッタ先幕がアパーチャを開放して走行を終了する。一方、ＣＰＵ１０１は上記タイミングｔ０から電荷蓄積を開始するように撮像素子１２１へ駆動信号を出力する。【００５４】
先幕シンクロ撮影の場合、上記モード１−１および１−３の場合と同様に、アパーチャが開放されたタイミングｔ１からシャッタ後幕が走行を開始するタイミングｔ３までの全開時間がＸｅ管８１の閃光時間より長くなるように構成されている。ＣＰＵ１０１は、タイミングｔ１直後のタイミングｔ２ｂでＸｅ管８１が発光を開始し、この閃光発光がタイミングｔ３の前に終了するように発光開始を指示する信号（いわゆるＸ接点信号）を発光回路８２へ送信する。【００５５】
シャッタ先幕が走行終了（タイミングｔ１）してから所定時間が経過後のタイミングｔ３において、撮影シーケンス機構がアパーチャを閉じる向きにシャッタ後幕を走行開始させる。所定時間は、先幕シンクロ撮影用にあらかじめ設定されているアパーチャ開放時間である。なお、後幕シンクロ撮影の場合のシャッタ速度は、同調速度よりも低速のシャッタ速度であり、アパーチャ開放時間を得るための値に設定される。【００５６】
タイミングｔ４において、シャッタ後幕がアパーチャを閉鎖して走行を終了する。一方、ＣＰＵ１０１は、上記タイミングｔ４で電荷蓄積を終了するとともに蓄積電荷の転送を開始するように撮像素子１２１へ駆動信号を出力する。タイミングｔ５において、ＣＰＵ１０１は、蓄積電荷の転送が終了すると撮像素子１２１への駆動信号の出力を停止する。このように、タイミングｔ１からタイミングｔ３までのアパーチャ開放時間（全開時間）内でシャッタ先幕が走行終了後ただちにＸｅ管８１が閃光発光し、主要被写体が照明される。【００５７】
図１２は、先幕シンクロ撮影で得られる撮影画像を説明する図である。撮影者は、上記電子カメラシステムを用いて走行車両およびランナーを先幕シンクロ撮影する。図１２において、背景を右から左へ走行する車両と重なるようにランナーが右から左へ走行している。ランナーは背景車両より撮影者に近く、照明装置８０による照明光で照明できる距離にいる。照明装置８０でランナーを照明しなければ、露光不足でランナーが写らないほど周囲は暗い。【００５８】
先幕シンクロ撮影を行うとアパーチャ開放時間の開始後ただちに照明装置８０がランナーを照明するので、図１２に示すようにランナーは画面の右端に写る。なお、走行車両は照明装置８０による照明範囲外なので、照明光の有無にかかわらず背景を流れるように写る。【００５９】
モード１−５、すなわち単写撮影モードでスロー撮影の場合、カメラ本体７０のＣＰＵ１０１は、照明装置８０の発光を許可するように設定操作が行われるとＬＥＤ８３ａを選択する。ＣＰＵ１０１はさらに、照明装置８０を強制的に発光させるように設定される、もしくは上記露出演算によって照明装置８０による照明光が必要と判定される場合に、カメラのレリーズ操作に応じて発光を指示する信号を発光回路８３へ送信する。【００６０】
図１３は、モード１−５において、シャッタ先幕およびシャッタ後幕がそれぞれ開くタイミングと閉じるタイミング、撮像素子１２１の電荷蓄積タイミング、および撮像素子１２１に蓄積された電荷の転送タイミングの関係を説明する図である。カメラ本体７０がレリーズ操作されると、ＣＰＵ１０１は、カメラ本体７０の撮影シーケンス機構に撮影動作を開始させる。これにより、図１３のタイミングｔ０においてシャッタ先幕が開く向きに走行を開始し、タイミングｔ１においてシャッタ先幕がアパーチャを開放して走行を終了する。一方、ＣＰＵ１０１は上記タイミングｔ０から電荷蓄積を開始するように撮像素子１２１へ駆動信号を出力する。【００６１】
スロー撮影の場合、少なくともシャッタ先幕が走行を開始するタイミングｔ０からシャッタ後幕が走行を終了するタイミングｔ４までの全域でＬＥＤ８３ａが発光を継続するように構成される。ＣＰＵ１０１は、タイミングｔ０においてＬＥＤ８３ａが発光を開始し、タイミングｔ４においてＬＥＤ８３ａが発光を終了するように発光開始および発光終了を指示する信号を発光回路８３へ送信する。【００６２】
シャッタ先幕が走行終了（タイミングｔ１）してから所定時間が経過後のタイミングｔ３において、撮影シーケンス機構がアパーチャを閉じる向きにシャッタ後幕を走行開始させる。所定時間は、スロー撮影用にあらかじめ設定されているアパーチャ開放時間である。なお、後幕シンクロ撮影の場合のシャッタ速度は、同調速度よりも低速のシャッタ速度であり、アパーチャ開放時間を得るための値に設定される。【００６３】
タイミングｔ４において、シャッタ後幕がアパーチャを閉鎖して走行を終了する。一方、ＣＰＵ１０１は、上記タイミングｔ４で電荷蓄積を終了するとともに蓄積電荷の転送を開始するように撮像素子１２１へ駆動信号を出力する。タイミングｔ５において、ＣＰＵ１０１は、蓄積電荷の転送が終了すると撮像素子１２１への駆動信号の出力を停止する。このように、少なくとも撮像素子１２１で電荷蓄積が行われるタイミングｔ０からタイミングｔ４までＬＥＤ８３ａが連続発光し、主要被写体が照明される。【００６４】
図１４は、スロー撮影で得られる撮影画像を説明する図である。撮影者は、上記電子カメラシステムを用いて走行車両およびランナーをスロー撮影する。図１４において、背景を右から左へ走行する車両と重なるようにランナーが右から左へ走行している。ランナーは背景車両より撮影者に近く、照明装置８０による照明光で照明できる距離にいる。照明装置８０でランナーを照明しなければ、露光不足でランナーが写らないほど周囲は暗い。【００６５】
スロー撮影を行うと撮像素子１２１による撮像中（電荷蓄積中）は連続して照明装置８０がランナーを照明するので、図１４に示すようにランナーは画面の右端から左端に流れるように写る。なお、走行車両は照明装置８０による照明範囲外なので、照明光の有無にかかわらず背景を流れるように写る。【００６６】
モード２、すなわち連写撮影モードの場合、カメラ本体７０のＣＰＵ１０１は、照明装置８０の発光を許可するように設定操作が行われるとＬＥＤ８３ａを選択する。ＣＰＵ１０１はさらに、照明装置８０を強制的に発光させるように設定される、もしくは上記露出演算によって照明装置８０による照明光が必要と判定される場合に、カメラのレリーズ操作に応じて発光を指示する信号を発光回路８３へ送信する。【００６７】
図１５は、モード２において、シャッタ先幕およびシャッタ後幕がそれぞれ開くタイミングと閉じるタイミング、撮像素子１２１の電荷蓄積タイミング、および撮像素子１２１に蓄積された電荷の転送タイミングの関係を説明する図である。カメラ本体７０がレリーズ操作されると、ＣＰＵ１０１は、カメラ本体７０の撮影シーケンス機構に撮影動作を開始させる。これにより、図１５のタイミングｔ０においてシャッタ先幕が開く向きに走行を開始し、タイミングｔ１においてシャッタ先幕がアパーチャを開放して走行を終了する。一方、ＣＰＵ１０１は、上記タイミングｔ１から電荷蓄積を開始するように撮像素子１２１へ駆動信号を出力するとともに、ＬＥＤ８３ａの発光開始を指示する信号を発光回路８３へ送信する。【００６８】
タイミングｔｍ０において、ＣＰＵ１０１は、電荷蓄積を終了して蓄積電荷の転送を開始するように撮像素子１２１へ駆動信号を出力するとともに、ＬＥＤ８３ａの発光終了を指示する信号を発光回路８３へ送信する。タイミングｔｍ１において、撮像素子１２１は蓄積電荷の転送を終了する。【００６９】
上述したように、連写撮影では所定のフレームレート（たとえば、１秒当たり３０フレーム）で連続して撮像および転送動作を繰り返す。１フレーム当たりの蓄積時間および転送時間の和はフレームレートによって異なり、１秒当たり３０フレームの場合は３３．３ｍ秒である。ＣＰＵ１０１は、上記タイミングｔｍ１において、次フレームを撮像するための電荷蓄積を開始するように撮像素子１２１へ駆動信号を出力するとともに、ＬＥＤ８３ａの発光開始を指示する信号を再び発光回路８３へ送信する。【００７０】
以降同様に、ＣＰＵ１０１は、電荷蓄積を終了して蓄積電荷の転送を開始するように撮像素子１２１へ駆動信号を出力するとともに、ＬＥＤ８３ａの発光終了を指示する信号を発光回路８３へ送信する（タイミングｔｍ２）。撮像素子１２１は、蓄積電荷の転送を終了する（タイミングｔｍ３）。【００７１】
カメラ本体７０が撮影終了操作されると、ＣＰＵ１０１は、最終フレームについての電荷蓄積終了後のタイミングｔ３において、蓄積電荷の転送を開始するように撮像素子１２１へ駆動信号を出力するとともに、ＬＥＤ８３ａの発光終了を指示する信号を発光回路８３へ送信する。ＣＰＵ１０１はさらに、撮影シーケンス機構に撮影動作を終了させる。これにより、撮影シーケンス機構がアパーチャを閉じる向きにシャッタ後幕を走行開始させる。【００７２】
タイミングｔ４において、シャッタ後幕がアパーチャを閉鎖して走行を終了する。一方、ＣＰＵ１０１は、最終フレームについての蓄積電荷の転送が終了すると撮像素子１２１への駆動信号の出力を停止する。【００７３】
以上説明した実施の形態についてまとめる。
（Ａ）単写撮影モードでシャッタ速度が同調速度と等しい、もしくは同調速度より低速の場合（モード１−１）にＸｅ管８１を閃光発光させるようにしたので、Ｘｅ管８１による照明光がシャッタ先幕およびシャッタ後幕のいずれにもけられることがなく、効率よく主要被写体を照明することができる。【００７４】
（Ｂ）単写撮影モードでシャッタ速度が同調速度より高速の場合（モード１−２）にＬＥＤ８３ａを発光させ、少なくともシャッタ先幕およびシャッタ後幕によって形成されるスリットが撮像素子１２１上の有効撮像領域を移動する間は発光を継続させるようにしたので、Ｘｅ管８１を閃光発光させる場合のように撮影画像に照明むらが生じることがない。また、Ｘｅ管８１にいわゆるＦＰ発光（繰り返し周波数約５ｋＨｚで繰り返す発光）させる場合に比べて、消費電力を大幅に低減することができる。【００７５】
（Ｃ）後幕シンクロ撮影（モード１−３）および先幕シンクロ撮影（モード１−４）の場合にＸｅ管８１を閃光発光させるようにしたので、上記（Ａ）と同様に、Ｘｅ管８１による照明光がシャッタ先幕およびシャッタ後幕のいずれにもけられることがなく、効率よく主要被写体を照明することができる。また、閃光発光によって動きのある被写体を止めて写す撮影効果が得られる。【００７６】
（Ｄ）スロー撮影（モード１−５）の場合にＬＥＤ８３ａを発光させ、撮像素子１２１で電荷蓄積されている間は発光を継続させるようにしたので、連続発光によって動きのある被写体をブラせて写す撮影効果が得られる。また、Ｘｅ管８１にリピーティング発光（繰り返し周波数５０〜１００Ｈｚで繰り返す発光）させる場合に比べて、消費電力を大幅に低減することができる。【００７７】
（Ｅ）連写撮影モード（モード２）の場合にＬＥＤ８３ａを発光（点灯）させ、撮像素子１２１で電荷蓄積されている間は発光を継続させ、撮像素子１２１で蓄積電荷が転送されている（電荷蓄積が行われていない）状態ではＬＥＤ８３ａの発光を停止（消灯）させるようにした。すなわち、撮像素子１２１によるコマごとの撮影タイミングに同期して発光および消灯を繰り返すように構成した。したがって、Ｘｅ管８１にリピーティング発光（繰り返し周波数５０〜１００Ｈｚで繰り返す発光）させる場合に比べて、消費電力を大幅に低減することができる。また、撮像素子１２１による電荷転送中にＬＥＤ８３ａを点灯させたままにする場合に比べて、不要な露光による蓄積電荷の発生を抑えることができる。【００７８】
ＣＰＵ１０１は、Ｘｅ管８１へ発光開始を指示する信号を送出する時点において発光回路８２の充電検出回路８６から発光準備完了を示す信号を受信していない場合、Ｘｅ管８１に代えてＬＥＤ８３ａを発光させてもよい。この場合には、発光回路８３へ発光指示を送る。これにより、メインコンデンサＭＣの充電量が不足してＸｅ管８１を閃光発光できない場合であってもＬＥＤ８３ａを発光させて撮影できるので、撮影チャンスを逸することを防止できる。【００７９】
上述した一実施の形態においては、連写撮影モード（モード２）が選択されると、ＣＰＵ１０１においてＬＥＤ８３ａを選択した。本実施の形態では、連写撮影モードとして、例えば１秒当たり３０コマを撮影する動画の撮影モードを説明したが、連写撮影モードは１秒当たり３〜８コマ程度撮影する静止画の連写撮影や、１秒当たり３０コマ以下の動画撮影モード（例えば１５コマ／秒）も含む。なお、静止画の連写撮影時には、ＬＥＤ８３ａの代わりにＸｅ管８１を選択することも可能である。すなわち、連写撮影も含む静止画の撮影モードの場合はＸｅ管８１を選択し、動画の撮影モードの場合はＬＥＤ８３ａを選択する。【００８０】
以上の説明では、カメラ本体７０のアクセサリシューに装着する外付けタイプの照明装置８０の場合を例にあげて説明したが、照明装置をカメラ本体７０に内蔵させてもよい。【００８１】
また、Ｘｅ管８１およびＬＥＤ８３ａのうち、一方を外付けタイプの照明装置に、他方をカメラ本体に内蔵させるようにしてもよい。【００８２】
さらにまた、照明装置８０はカメラ本体７０に直接装着するものでなくてもよく、カメラ本体７０から離れた位置に照明装置８０を配設してカメラ本体７０からケーブルを介する有線信号、もしくは電波や赤外光などの無線信号によって照明装置８０へ発光開始、発光停止、および発光強度などを指示するものであってもよい。【００８３】
上述した一実施の形態では、Ｘｅ管８１およびＬＥＤ８３ａを備える照明装置８０を用いた電子カメラシステムについて説明したが、ＬＥＤ８３ａのみを備える照明装置を用いることも可能である。この場合も、上述したようにモード２が設定されている場合は、撮像素子１２１によるコマごとの撮影タイミングに同期してＬＥＤ８３ａの発光および消灯を繰り返すように構成する。【００８４】
上述した一実施の形態では、一眼レフ電子カメラを例に説明したが、一眼レフでない電子カメラの場合にも本発明を適用できる。【００８５】
本出願は日本国特許出願２００４−０３４７３３号（２００４年２月１２日出願）を基礎として、その内容は引用文としてここに組み込まれる。
【図１】
0004872346.tif 000002
【図２】
0004872346.tif 000003
【図３】
0004872346.tif 000004
【図４】
0004872346.tif 000005
【図５】
0004872346.tif 000006
【図６】
0004872346.tif 000007
【図７】
0004872346.tif 000008
【図８】
0004872346.tif 000009
【図９】
0004872346.tif 000010
【図１０】
0004872346.tif 000011
【図１１】
0004872346.tif 000012
【図１２】
0004872346.tif 000013
【図１３】
0004872346.tif 000014
【図１４】
0004872346.tif 000015
【図１５】
0004872346.tif 000016